(57)【要約】【課題】本発明は、画像出力装置や選択された画像に合わせて、画像のサイズやレイアウトを調整する情報処理装置を提供することを目的とする。【解決手段】本発明によれば、選択された画像を画像出力装置に送信して出力させる情報処理装置であって、前記画像出力装置の種別に応じた情報に基づいて、当該画像出力装置において画像が出力される画像配置可能領域の情報を取得する画像配置領域情報取得手段と、出力する画像および前記画像配置可能領域に応じて、前記画像を前記画像配置可能領域に配置した出力画像を生成する出力画像生成手段と、生成された前記出力画像を画像出力装置へ送信する送信手段とを含む情報処理装置が提供される。【選択図】図３
2018061236.tif 000002
【特許請求の範囲】
【請求項１】
選択された画像を画像出力装置に送信して出力させる情報処理装置であって、
前記画像出力装置の種別に応じた情報に基づいて、当該画像出力装置において画像が出力される画像配置可能領域の情報を取得する画像配置領域情報取得手段と、
出力する画像および前記画像配置可能領域に応じて、前記画像を前記画像配置可能領域に配置した出力画像を生成する出力画像生成手段と、
生成された前記出力画像を前記画像出力装置へ送信する送信手段と、
を含む、
情報処理装置。
【請求項２】
前記画像配置領域情報取得手段は、
前記画像出力装置の画像出力領域に定義される操作領域の位置を示す操作領域情報を取得する操作領域情報取得手段と、
前記操作領域情報が示す前記操作領域に重ならない領域を画像配置可能領域として定義する画像配置可能領域定義手段と、
を含み、
前記出力画像生成手段は、選択された画像を縮小した縮小画像を生成する、
請求項１に記載の情報処理装置。
【請求項３】
前記出力画像生成手段は、
前記画像配置可能領域に配置した前記縮小画像を除く残余領域を単色画像とした前記出力画像を生成する、
請求項２に記載の情報処理装置。
【請求項４】
前記情報処理装置は、
前記画像出力装置の機種情報と前記操作領域情報を対応付けて管理する操作領域情報管理手段を含み、
前記操作領域情報取得手段は、
前記画像出力装置から前記機種情報を取得し、前記操作領域情報管理手段から該機種情報に対応する前記操作領域情報を取得する、
請求項２または３に記載の情報処理装置。
【請求項５】
前記情報処理装置は、
選択された画像に余白を設け、該余白に書誌情報を付加する書誌情報付加手段を含み、
前記縮小画像は、前記書誌情報が付加された前記画像を縮小した画像である、
請求項２〜４のいずれか一項に記載の情報処理装置。
【請求項６】
前記情報処理装置は、
選択された２以上の画像の集約画像を生成する集約画像生成手段を含み、
前記縮小画像は、前記集約画像を縮小した画像である、
請求項２〜４のいずれか一項に記載の情報処理装置。
【請求項７】
前記情報処理装置は、
選択された画像に余白を設け、該余白に書誌情報を付加する書誌情報付加手段と、
選択された２以上の画像の集約画像を生成する集約画像生成手段とを含み、
前記縮小画像は、前記書誌情報が付加された２以上の前記画像の集約画像を縮小した画像である、
請求項２〜４のいずれか一項に記載の情報処理装置。
【請求項８】
出力する画像が複数選択された場合に、各画像の向きおよびサイズに基づいて、前記画像配置可能領域における各画像の配置する位置を設定する画像配置定義手段を含む、
請求項１〜７のいずれか１項に記載の情報処理装置。
【請求項９】
前記画像配置定義手段は、前記画像配置可能領域の面積に占める前記画像の面積の割合に基づいて、各画像の配置する位置を設定する、請求項８に記載の情報処理装置。
【請求項１０】
前記画像配置定義手段は、前記画像配置可能領域の面積に占める前記画像の面積の割合が最も大きい画像配置を出力画像として設定する、請求項９に記載の情報処理装置。
【請求項１１】
選択された画像を画像出力装置に送信して出力させる情報処理装置を、
前記画像出力装置の種別に応じた情報に基づいて、当該画像出力装置において画像が出力される画像配置可能領域の情報を取得する画像配置領域情報取得手段、
出力する画像および前記画像配置可能領域に応じて、前記画像を前記画像配置可能領域に配置した出力画像を生成する出力画像生成手段、
生成された前記出力画像を前記画像出力装置へ送信する送信手段
として機能させるためのプログラム。
【請求項１２】
画像出力装置と、選択された画像を該画像出力装置に送信して出力させる情報処理装置とを含む画像出力システムであって、
前記情報処理装置は、
前記画像出力装置の種別に応じた情報に基づいて、当該画像出力装置において画像が出力される画像配置可能領域の情報を取得する画像配置領域情報取得手段と、
出力する画像および前記画像配置可能領域に応じて、前記画像を前記画像配置可能領域に配置した出力画像を生成する出力画像生成手段と、
生成された前記出力画像を、前記画像出力装置へ送信する送信手段と
を含み、
前記画像出力装置は、
前記画像配置領域情報取得手段からの要求に応答して、当該画像出力装置の前記機種情報を前記情報処理装置に送信し、
前記情報処理装置から受信した前記出力画像を出力する、
画像出力システム。
【発明の詳細な説明】
【技術分野】
【０００１】
本発明は、情報処理装置、プログラムおよび画像出力システムに関する。
【背景技術】
【０００２】
近年のスマートデバイス（スマートホンやタブレットＰＣ、等）の普及に伴って、オフィスでは、画像コンテンツをスマートデバイスに保存して持ち歩き、行く先々に設置されている各種の画像出力機器から画像コンテンツを出力するといったことが日常的に行われている。
【０００３】
画像出力装置から画像コンテンツを出力する例としては、電子黒板への表示、プロジェクタでの投影、ＭＦＰ（Multi-Function Peripheral）からの印刷などが挙げられる。
【０００４】
一方で、上述した各種画像出力装置は、装置ごとに画像コンテンツを出力できる領域のサイズが決まっており、当該領域のサイズに合わせて画像のサイズを調整することで、画像の見やすさを損なうことなく出力する。
【０００５】
この点につき、特許第４９７１４８４号公報（特許文献１）には、印刷用紙や印刷領域の大きさに基づいて、画像を変倍処理する画像形成装置が開示されている。特許文献１によれば、画像が出力される領域のサイズに合わせて、画像サイズを適切に調整することできる。
【０００６】
しかしながら、特許文献１では、予め設定された領域の大きさに合わせて画像サイズを単に変更するのみであって、異なる種類の装置に合わせて画像を出力する構成とはなっておらず、出力される画像が見にくくなる虞があった。
【０００７】
したがって、接続される装置の種類に合わせて画像のサイズやレイアウトを見やすく出力する技術が求められていた。
【発明の概要】
【発明が解決しようとする課題】
【０００８】
本発明は、上記に鑑みてなされたものであり、画像出力装置や選択された画像に合わせて、画像のサイズやレイアウトを調整する情報処理装置を提供することを目的とする。
【課題を解決するための手段】
【０００９】
本発明者は、画像出力装置に合わせて画像のサイズやレイアウトを調整する情報処理装置につき鋭意検討した結果、以下の構成に想到し、本発明に至ったのである。
【００１０】
すなわち、本発明によれば、
選択された画像を画像出力装置に送信して出力させる情報処理装置であって、
前記画像出力装置の種別に応じた情報に基づいて、当該画像出力装置において画像が出力される画像配置可能領域の情報を取得する画像配置領域情報取得手段と、
出力する画像および前記画像配置可能領域に応じて、前記画像を前記画像配置可能領域に配置した出力画像を生成する出力画像生成手段と、
生成された前記出力画像を画像出力装置へ送信する送信手段と、
を含む、
情報処理装置が提供される。
【発明の効果】
【００１１】
上述したように、本発明によれば、画像出力装置に合わせて画像のサイズやレイアウトを調整する情報処理装置が提供される。
【図面の簡単な説明】
【００１２】
【図１】第１実施形態の画像出力システムのシステム構成図。
【図２】ディスプレイ画面に操作ボタンを表示するタイプの電子黒板の例を示す図。
【図３】第１実施形態の情報処理装置の機能ブロック図。
【図４】操作領域情報管理テーブルを示す図。
【図５】アプリケーション画面を示す図。
【図６】アプリケーション画面を示す図。
【図７】アプリケーション画面を示す図。
【図８】第１実施形態の情報処理装置が実行する処理のフローチャート。
【図９】出力画像生成処理のフローチャート。
【図１０】画像配置可能領域を定義する手順を説明するための図。
【図１１】出力画像の生成過程を示す概念図。
【図１２】出力画像の生成過程を示す概念図。
【図１３】画像出力機器に表示された出力画像を示す図。
【図１４】出力画像の生成過程を示す概念図。
【図１５】出力画像の生成過程を示す概念図。
【図１６】画像出力機器に表示された出力画像を示す図。
【図１７】第２実施形態の情報処理装置が実行する処理のフローチャート。
【図１８】第３実施形態の情報処理装置の機能ブロック図。
【図１９】表示可能領域情報管理テーブルを示す図。
【図２０】複数の画像を割り付けるレイアウトの例を示す図。
【図２１】表示可能領域および画像サイズを説明するための図。
【図２２】第３実施形態の情報処理装置が実行する処理のフローチャート。
【図２３】出力画像生成処理のフローチャート。
【図２４】出力レイアウトの選択画面を示す図。
【図２５】日付埋め込み処理のフローチャート。
【図２６】タイムスタンプを埋め込んだ画像を示す図。
【図２７】本実施形態の情報処理装置のハードウェア構成図。
【発明を実施するための形態】
【００１３】
以下、本発明を、実施形態をもって説明するが、本発明は後述する実施形態に限定されるものではない。なお、以下に参照する各図においては、共通する要素について同じ符号を用い、適宜、その説明を省略するものとする。
【００１４】
（第１実施形態）
図１は、本発明の第１実施形態である画像出力システム１０００のシステム構成を示す。本実施形態の画像出力システム１０００は、情報処理装置１００と、１以上の画像出力機器とを含んで構成されており、図１に示す例では、情報処理装置１００と各画像出力機器が、無線ＬＡＮまたは有線ＬＡＮとして参照されるネットワーク５０を介して、相互に通信可能に接続されている。なお、情報処理装置１００と各画像出力機器との通信方式は、当然のことながら、ＬＡＮに限定されず、Bluetooth（登録商標）やNFC（登録商標）といった近距離無線通信であっても良いし、光通信や超音波通信であっても良い。
【００１５】
情報処理装置１００は、ネットワーク５０を介して画像コンテンツ（以下、単に、画像という場合がある）を画像出力機器に送信して出力させる装置であり、情報処理装置１００として、スマートフォンやタブレットＰＣといったスマートデバイスを例示することができる。ただし、本実施形態は、情報処理装置１００をスマートデバイスに限定するものではなく、情報処理装置１００は、ノートＰＣやデスクトップＰＣであっても良い。なお、以下では、便宜上、情報処理装置１００をスマートデバイス１００として参照する。
【００１６】
画像出力機器は、スマートデバイス１００からネットワーク５０を介して送信される画像コンテンツを出力する装置であり、図１は、画像出力機器として、画像コンテンツをスクリーンに投影出力するプロジェクター２０と、画像コンテンツをディスプレイに表示出力する電子黒板３０と、画像コンテンツを用紙に印刷出力する複合機４０を例示している。
【００１７】
以上、本実施形態の画像出力システム１０００のシステム構成を説明してきた。ところで、ディスプレイ画面に操作ボタンのアイコンを表示するタイプの画像出力機器では、画像コンテンツの上に操作ボタンが重畳表示されることになるため、視認性が低下する。例えば、図２に示すような、ディスプレイ画面に操作ボタン（アイコン）を表示するタイプの電子黒板では、画像コンテンツの一部が破線で囲んで示す操作ボタン群によって覆い隠される結果、画像コンテンツと操作ボタンの双方の視認性が低下している。
【００１８】
そこで、本実施形態では、表示する画像のサイズなどを調整することで、表示画面の視認性の低下を抑制する。図３は、第１実施形態の情報処理装置の機能ブロック図である。以下では、図３に示す機能ブロック図に基づいて、スマートデバイス１００の機能構成を説明する。
【００１９】
本実施形態のスマートデバイス１００は、操作受付部１０２と、機器接続部１０３と、操作領域情報取得部１０４と、画像配置可能領域定義部１０５と、書誌情報付加部１０６と、集約画像生成部１０７と、出力画像生成部１０８と、出力画像送信部１０９と、記憶領域１１０とを含んで構成される。
【００２０】
操作受付部１０２は、出力先の画像出力装置の選択、出力する画像コンテンツの選択、出力条件の設定といった各種の操作をユーザから受け付ける手段である。
【００２１】
機器接続部１０３は、画像出力装置との間の通信接続を確立する手段である。
【００２２】
操作領域情報取得部１０４は、画像出力装置の画像出力領域に定義される操作領域の位置を示す操作領域情報を取得する手段である。
【００２３】
画像配置可能領域定義部１０５は、操作領域情報が示す操作領域に重ならない領域を画像配置可能領域として定義する手段である。
【００２４】
書誌情報付加部１０６は、選択された画像に余白を設け、当該余白に書誌情報を付加する手段である。
【００２５】
集約画像生成部１０７は、選択された２以上の画像の集約画像を生成する手段である。
【００２６】
出力画像生成部１０８は、選択された画像を縮小した縮小画像を画像配置可能領域に配置した出力画像を生成する手段である。
【００２７】
出力画像送信部１０９は、生成した出力画像を画像出力装置に送信する手段である。
【００２８】
記憶領域１１０は、画像出力装置の機種と前記操作領域情報を対応付けて管理する操作領域情報管理テーブル５００を記憶する手段である。
【００２９】
なお、本実施形態では、スマートデバイス１００に搭載されるコンピュータに専用のアプリケーション・プログラム（以下、専用アプリという）がインストールされており、専用アプリを実行するコンピュータが上述した各手段として機能する。
【００３０】
図４は、記憶領域１１０に記憶される操作領域情報管理テーブル５００を示す。図４に示すように、操作領域情報管理テーブル５００は、画像出力機器の種別を格納するためのフィールド５０１と、画像出力機器の機種の識別情報（この場合、機種名）を格納するためのフィールド５０２と、操作領域情報を格納するためのフィールド５０３〜５０５と、画像出力機器の最大画像解像度を格納するためのフィールド５０６を備えている。なお、操作領域情報管理テーブル５００においては、操作領域が定義されない画像出力機器に対応するレコードのフィールド５０３〜５０５はブランクとされる。
【００３１】
ここで、操作領域とは、画像出力機器の画像出力領域に定義される、操作ボタン（アイコン）を配置するための矩形領域を意味する。一般に、ポインティングデバイスが対応付けられる電子黒板やプロジェクターでは、ディスプレイやスクリーンの上に複数の操作ボタン（アイコン）を並べて表示し、各操作ボタンを介して機器の操作を受け付けるようになっている。その場合、ポインティングデバイスは、操作ボタンの誤操作を防止するために、操作領域内において、操作ボタンの操作以外のアクションを受け付けないように設定されている。
【００３２】
一方、操作領域情報とは、画像出力機器の画像出力領域に定義される１以上の操作領域の位置を示す座標情報を意味する。なお、本実施形態では、操作領域の位置を示す座標情報として、操作領域（矩形領域）の対角線の両端点の座標値の組がフィールド５０３〜５０５に格納されている。
【００３３】
以上、スマートデバイス１００の機能構成について説明してきたが、続いて、本実施形態のスマートデバイス１００が実行する処理の内容を説明する。なお、以下の説明においては、適宜、図３を参照するものとする。
【００３４】
ユーザが、スマートデバイス１００のホーム画面に表示される“かんたん出入力”のアイコンをタップすると（図１参照）、上述した専用アプリが起動し、操作受付部１０２が、図５（ａ）に示す機器選択画面を表示する。このとき、機器選択画面の上部には、画像出力機器（プロジェクター、電子黒板、複合機）が選択可能に表示され、ユーザが、機器選択画面の上部に表示される領域を左右にスワイプして「電子黒板」のアイコンを中央に表示させると、「ファイルを送信」と「ファイルを保存」が選択可能に表示される。これを受けて、ユーザが「ファイルを送信」をタップすると、画面は、図５（ｂ）に示すファイル保存先選択画面に遷移する。
【００３５】
このとき、ファイル保存先選択画面には、ファイルの保存先として、「アルバム」と「アプリ内フォルダー」が表示され、これを受けて、ユーザが、「アプリ内フォルダー」をタップすると、画面は、図５（ｃ）に示すファイル選択画面に遷移する。このとき、ファイル選択画面には、アプリ内フォルダーに保存された複数の画像が選択可能にサムネイル表示される。
【００３６】
これを受けて、ユーザが、図６（ａ）に示すように、１つの画像を選択して「選択完了」をタップすると、画面は、図６（ｂ）に示す出力条件設定画面に遷移する。本実施形態では、ユーザは、この出力条件設定画面を介して、集約設定および書誌情報を付加する設定（以下、書誌情報設定という）を行うことができるようになっており、設定内容がプレビューの下方に表示されるようになっている。なお、図６（ｂ）は、ユーザが、集約設定「なし」および書誌情報設定「なし」を選択した場合の出力条件設定画面の画面例を示している。その後、ユーザが「ＱＲコード読み取り画面へ」をタップすると、これに応答して、スマートデバイス１００のカメラ機能が起動し、画面は、図６（ｃ）に示すＱＲコード読み取り画面に遷移する。（ＱＲコード：登録商標。以下、同様。）
【００３７】
一方、図７（ａ）は、ユーザが２以上の画像を選択した場合のファイル選択画面を画面例を示し、図７（ｂ）は、ユーザが、集約設定「４in１」および書誌情報設定「あり」を選択した場合の出力条件設定画面の画面例を示している。この場合も同様に、ユーザが「ＱＲコード読み取り画面へ」をタップすると、画面は、図７（ｃ）に示すＱＲコード読み取り画面に遷移する。
【００３８】
ＱＲコード読み取り画面に遷移したことを受けて、ユーザが接続しようとする電子黒板３０のディスプレイに表示されたＱＲコードを読み取ると、機器接続部１０３が、ＱＲコードに埋め込まれた電子黒板３０の接続情報を解析し、当該接続情報に基づいて、スマートデバイス１００と電子黒板３０の間の通信を確立する。
【００３９】
このとき、スマートデバイス１００は、電子黒板３０との間の通信が確立したことを受けて、図８のフローチャートが示す処理を開始する。
【００４０】
まず、ステップ１０１では、操作領域情報取得部１０４が、接続先の画像出力機器に対して問い合わせを行って、画像出力機器（この場合、電子黒板３０）の機種情報（この場合、機種名）を取得する。以下では、このとき、電子黒板３０の機種名として「IW00A」が取得されたもの仮定して説明を行う。
【００４１】
図１０（ａ）は、電子黒板３０（IW00A）のディスプレイを示す。図１０（ａ）に示すように、電子黒板３０（IW00A）の場合、その画像出力領域に３つの操作領域１〜３が定義されており、各領域の中に機器の操作ボタン（アイコン）が表示されている。
【００４２】
続くステップ１０２では、操作領域情報取得部１０４が、取得した機種名「IW00A」をキーとして、記憶領域１１０に格納される操作領域情報管理テーブル５００（図４参照）を検索し、「IW00A」に紐付いた操作領域情報を取得する。この場合、操作領域情報として、操作領域１の対角線の両端点の座標値[(0,0)、(130,1200)]と、操作領域２の対角線の両端点の座標値[(130,1200)、(1790,1050)]と、操作領域３の対角線の両端点の座標値[(1790,0)、(1920,1200)]が取得される。
【００４３】
続くステップ１０３では、取得した操作領域情報に基づいて出力画像を生成する「出力画像生成処理」が実行される。
【００４４】
最後に、ステップ１０４では、出力画像送信部１０９が、生成された出力画像を接続先の電子黒板３０（IW00A）に送信して、処理を終了する。
【００４５】
ここで、先のステップ１０３で実行される「出力画像生成処理」の具体的な内容を図９に示すフローチャートに基づいて説明する。
【００４６】
まず、ステップ２０１では、画像配置可能領域定義部１０５が、先のステップ１０１で取得した操作領域情報に基づいて、以下の手順で画像配置可能領域を定義する
【００４７】
まず最初に、図１０（ｂ）に示すように、先のステップ１０１で取得した各座標値の組が示す２つの画素位置を結ぶ線分を対角線とする矩形領域を操作領域として電子黒板３０の画像出力領域に定義する。具体的には、画素位置(0,0)と画素位置(130,1200)]を結ぶ対角線を有する矩形領域を操作領域１と定義し、画素位置(130,1050)と画素位置(1790,1200)]を結ぶ対角線を有する矩形領域を操作領域２と定義し、画素位置(1790,0)と画素位置(1920,1200)]を結ぶ対角線を有する矩形領域を操作領域３と定義する。
【００４８】
次に、画像出力領域に定義した３つの操作領域１〜３に重ならない領域を画像配置可能領域Ｒとして定義する。図１０（ｂ）に示す例の場合、画素位置(130,1050)と画素位置(1790,0)を結ぶ対角線を有する矩形領域が画像配置可能領域Ｒとして定義される。ここで、画像配置可能領域Ｒは、操作領域１〜３の内接矩形に相当する。
【００４９】
再び、図９に戻って説明を続ける。
【００５０】
先のステップ２０１で画像配置可能領域Ｒを定義すると、続くステップ２０２では、集約設定の有無を判断し、続くステップ２０３で、書誌情報設定の有無を判断する。ここで、集約設定および書誌情報設定の両方が「なし」に設定されている場合は（Ｓ２０２、Ｎｏ→Ｓ２０３、Ｎｏ）、処理はステップ２０６に進む。
【００５１】
ステップ２０６では、出力画像生成部１０８が、図１１に示すように、ユーザが選択した１つの画像コンテンツを画像配置可能領域Ｒに収まるサイズに縮小し、その縮小画像を画像配置可能領域Ｒの中央に配置してなる画像を、接続先の画像出力機器（この場合、電子黒板３０（IW00A））が対応する所定のフォーマットに変換して出力画像を得る。このとき、縮小画像を除く残余領域Ｍは、その上に重畳表示される予定の操作ボタン（アイコン）の視認性を考慮して、単色画像とすることが好ましく、白画像とすることがより好ましい。
【００５２】
以上、「出力画像生成処理」について説明した。本実施形態では、その後、出力画像送信部１０９が、図１１に示す出力画像を接続先の電子黒板３０に送信し（図７、ステップ１０４）、電子黒板３０が受信した出力画像をディスプレイに表示する。その結果、ユーザが選択した画像コンテンツは、図１３（ａ）に示すように、電子黒板３０の操作領域１〜３に重ならない態様で表示される。
【００５３】
一方、先のステップ２０３で、書誌情報設定が「あり」に設定されていると判断した場合には（Ｓ２０３、Ｙｅｓ）、処理はステップ２０４に進む。続くステップ２０４では、書誌情報付加部１０６が、図１２に示すように、ユーザが選択した１つの画像コンテンツに対して、書誌情報の表示に必要なサイズを有する余白ｍを設ける。なお、図１２では、画像の下方に帯状の余白ｍを設ける例を示したが、余白は、画像の上下左右のいずれの位置に設けても良い。
【００５４】
続くステップ２０５では、書誌情報付加部１０６が、図１２に示すように、余白ｍに書誌情報を付加する。なお、図１２では、書誌情報として、タイムスタンプを付加する例を示したが、本実施形態は、余白に付加する書誌情報の内容を限定するものではなく、画像のファイル名や画像に対する注釈を書誌情報として付加しても良い。
【００５５】
最後に、ステップ２０６では、図１２に示すように、出力画像生成部１０８が、書誌情報を付加した画像を画像配置可能領域Ｒに収まるサイズに縮小し、その縮小画像を画像配置可能領域Ｒの中央に配置してなる画像を、接続先の電子黒板３０（IW00A）が対応する所定のフォーマットに変換して出力画像を得る。この場合も同様に、縮小画像を除く残余領域Ｍは、好ましくは単色画像とし、より好ましくは白画像とする（以下、残余領域Ｍについて同様）。
【００５６】
その後、出力画像送信部１０９が、図１２に示す出力画像を接続先の電子黒板３０に送信し（図８、ステップ１０４）、電子黒板３０が受信した出力画像をディスプレイに表示する。その結果、ユーザが選択した画像コンテンツと書誌情報（タイムスタンプ）の双方は、図１３（ｂ）に示すように、電子黒板３０の操作領域１〜３に重ならない態様で表示される。
【００５７】
一方、先のステップ２０２で、集約設定が「あり」に設定されていると判断した場合は（Ｓ２０２、Ｙｅｓ）、続くステップ２０７で、書誌情報設定の有無が判断される。その結果、書誌情報設定が「なし」に設定されていると判断した場合には（Ｓ２０７、Ｎｏ）、処理はステップ２１０に進む。続くステップ２１０では、集約画像生成部１０７が、図１４に示すように、ユーザが選択した２以上の画像コンテンツを集約した集約画像を生成する。
【００５８】
その後、続くステップ２０６では、図１４に示すように、出力画像生成部１０８が、先のステップ２１０で生成した集約画像を画像配置可能領域Ｒに収まるサイズに縮小し、その縮小画像を画像配置可能領域Ｒの中央に配置してなる画像を、接続先の電子黒板３０（IW00A）が対応する所定のフォーマットに変換して出力画像を得る。
【００５９】
その後、出力画像送信部１０９が、図１４に示す出力画像を接続先の電子黒板３０に送信し（図８、ステップ１０４）、電子黒板３０が受信した出力画像をディスプレイに表示する。その結果、図１６（ａ）に示すように、ユーザが選択した複数の画像コンテンツを集約した集約画像が電子黒板３０の操作領域１〜３に重ならない態様で表示される。
【００６０】
一方、先のステップ２０７で、書誌情報設定が「あり」に設定されていると判断した場合には（Ｓ２０７、Ｙｅｓ）、処理はステップ２０８に進む。続くステップ２０８では、書誌情報付加部１０６が、図１５に示すように、ユーザが選択した複数の画像コンテンツのそれぞれに対して、書誌情報の表示に必要なサイズを有する余白ｍを設けた後、続くステップ２０９で、各画像の余白ｍに書誌情報を付加する。
【００６１】
その後、続くステップ２１０では、集約画像生成部１０７が、図１５に示すように、書誌情報を付加した２以上の画像の集約画像を生成する。
【００６２】
その後、続くステップ２０６では、図１５に示すように、出力画像生成部１０８が、書誌情報を付加した２以上の画像の集約画像を画像配置可能領域Ｒに収まるサイズに縮小し、その縮小画像を画像配置可能領域Ｒの中央に配置してなる画像を、接続先の電子黒板３０（IW00A）が対応する所定のフォーマットに変換して出力画像を得る。
【００６３】
その後、出力画像送信部１０９が、生成された出力画像を接続先の電子黒板３０に送信し（図８、ステップ１０４）、電子黒板３０が受信した出力画像をディスプレイに表示する。この場合、図１６（ｂ）に示すように、ユーザが選択した複数の画像コンテンツを集約した集約画像と書誌情報（タイムスタンプ）の双方が電子黒板３０の操作領域１〜３に重ならないように表示される。
【００６４】
その後、出力画像送信部１０９が、図１５に示す出力画像を接続先の電子黒板３０に送信し（図８、ステップ１０４）、電子黒板３０が受信した出力画像をディスプレイに表示する。その結果、図１６（ｂ）に示すように、ユーザが選択した複数の画像コンテンツを集約した集約画像と書誌情報（タイムスタンプ）の双方が電子黒板３０の操作領域１〜３に重ならない態様で表示される。
【００６５】
以上、説明したように、本実施形態によれば、接続先の画像出力機器に固有の操作領域に重ならない態様で、画像コンテンツが縮小表示される。その結果、画像コンテンツと画像出力機器の操作領域の双方の視認性が確保されるとともに、画像コンテンツの全域で書き込みなどのアクションが有効となり、操作性が向上する。また、本実施形態においては、設定に応じて、画像コンテンツの周辺部に書誌情報を付加するための余白が設けられるので、付加した書誌情報によって画像コンテンツの視認性が低下することがない。
【００６６】
以上、本発明の第１実施形態を説明してきたが、続いて、本発明の第２実施形態を説明する。なお、以下では、第１実施形態の内容と共通する部分の説明を省略し、専ら、第１実施形態との相違点のみを説明するものとする。
【００６７】
（第２実施形態）
第２実施形態では、スマートデバイス１００が、画像出力機器との間の通信が確立したことを受けて図１７のフローチャートに示す処理を開始する。
【００６８】
まず、ステップ３０１では、操作領域情報取得部１０４が、接続先の画像出力機器から操作領域情報を取得する。
【００６９】
その後、続くステップ３０２では、取得した操作領域情報に基づいて出力画像を生成する出力画像生成処理が実行され、最後に、ステップ３０３では、出力画像送信部１０９が、生成された出力画像を接続先の画像出力機器に送信して、処理を終了する。なお、ステップ３０２およびステップ３０３の内容は、図８に示すステップ１０３およびステップ１０４の内容と同じであるので、これ以上の説明を省略する。
【００７０】
つまり、第２実施形態では、操作領域情報取得部１０４が接続先の画像出力機器から直接的に操作領域情報を取得する点、ならびに、スマートデバイス１００の記憶領域１１０に先出の操作領域情報管理テーブル５００が記憶されていない点において第１実施形態と異なり、その余の構成は、第１実施形態と同じである。
【００７１】
（第３実施形態）
次に、第３実施形態について説明する。第３実施形態では、出力先の機器の表示可能領域に基づいて、より見やすく配置された画像を出力する。図１８は、第３実施形態の情報処理装置の機能ブロック図である。以下では、図１８に示す機能ブロック図に基づいて、本実施形態において情報処理装置として参照されるスマートデバイス１００の機能構成を説明する。
【００７２】
本実施形態のスマートデバイス１００は、操作受付部１０２と、機器接続部１０３と、機器情報取得部１１１と、表示可能領域取得部１１２と、画像情報取得部１１３と、画像配置定義部１１４と、書誌情報付加部１０６と、集約画像生成部１０７と、出力画像生成部１０８と、出力画像送信部１０９と、記憶領域１１０とを含んで構成される。以下では、上記の各機能ブロックについて説明するが、第１実施形態にて説明した操作受付部１０２、機器接続部１０３、書誌情報付加部１０６、集約画像生成部１０７、出力画像生成部１０８、出力画像送信部１０９、記憶領域１１０については、図３と共通するため、適宜その説明を省略する。
【００７３】
機器情報取得部１１１は、機器接続部１０３を介して接続されている画像出力装置の種別や機種名などの機器情報を取得する手段である。
【００７４】
表示可能領域取得部１１２は、機器情報取得部１１１が取得した機器情報に基づいて、記憶領域１１０に格納されている当該機器における画像の表示可能領域データを取得する手段である。なお、表示可能領域取得部１１２は、接続されている機器のＭＩＢ（Management Information Base）情報から、当該機器の表示可能領域データを特定してもよい。
【００７５】
画像情報取得部１１３は、ユーザが選択した画像のサイズや表示方向などの情報（以下、「表示情報」として参照する）を取得する手段である。
【００７６】
画像配置定義部１１４は、表示可能領域取得部１１２が取得した機器の表示可能領域データおよび画像情報取得部１１３が取得した各画像の表示情報に基づいて、当該機器に適したレイアウトに画像を配置する手段である。
【００７７】
記憶領域１１０は、画像出力装置の機器種別と、機種名と、表示可能領域情報とを対応付けて管理する、表示可能領域情報管理テーブル６００を記憶する手段である。
【００７８】
なお、プロジェクタ、電子黒板、複合機などとして参照される各種画像出力装置は、情報処理装置と接続し、通信するための接続部２１，３１，４１や、情報処理装置から受信した画像データを出力する画像出力部２２，３２，４２を備える。
【００７９】
図１９は、記憶領域１１０に記憶される表示可能領域情報管理テーブル６００を示す図である。図１９に示すように表示可能領域情報管理テーブル６００は、画像出力装置の種別を格納するフィールド６０１と、画像出力機器を識別する情報（この場合、機種名）を格納するためのフィールド６０２と、各機器の表示領域のサイズを格納するためのフィールド６０３と、各機器の表示方向を格納するためのフィールド６０４とを備えている。
【００８０】
ここで、表示領域のサイズは、各画像出力機器が画像を出力することができる範囲を示すものであり、機器ごとに固有のサイズを有する。例えば、機器がプロジェクタの場合には、投影が可能な範囲を、機器が電子黒板の場合には、画面の大きさを、プリンタの場合には、印刷可能領域をそれぞれ示す。
【００８１】
また、表示方向は、各画像出力機器が出力する画像を表示する方向を示し、例えば、スクリーンや画面の向きや、印刷する用紙の向きなどを示す。
【００８２】
次に、選択した画像の集約と、レイアウトについて説明する。図２０は、複数の画像を割り付けるレイアウトの例を示す図である。図２０（ａ）、（ｂ）は、表示領域が横方向で、２枚の画像を選択した場合のレイアウト例を示す。図２０（ｃ）、（ｄ）は、表示領域が横方向で、４枚の画像を選択した場合のレイアウト例を示す。図２０（ｅ）、（ｆ）は、表示領域が縦方向で、４枚の画像を選択した場合のレイアウト例を示す。また、図中の破線で示される領域は、画像が配置可能な領域を示しており、図中の矢線は、画像を配置する順序を示している。
【００８３】
複数の画像を選択した場合には、図２０に示すように、種々の割り付け方法が考えられるが、選択した画像のサイズや表示方向によっては、見やすさが損なわれる場合がある。例えば、横長の画像が２枚選択された場合には、図２０（ａ）のレイアウトで表示しようとすると、幅方向に合わせて縮小されるため、画像が小さくなり、見やすさが損なわれることから、図２０（ｂ）のレイアウトで表示するほうが好ましい。
【００８４】
このように、第３実施形態では、選択した画像のサイズや表示方向に応じて、適切なレイアウトで割り付ける情報処理装置を提供する。なお、図２０に示すレイアウトは一例であって、選択される画像の枚数は２枚や４枚に限らず、また、図２０に示すレイアウトの構成に限定するものでもない。
【００８５】
ここまで、出力される画像のレイアウトについて図２０を以て説明した。以下では、画像出力装置と画像に基づいて適切なレイアウトを得る方法について説明する。図２１は、表示可能領域および画像サイズを説明するための図である。
【００８６】
図２１では、２枚の画像１，２が選択され、横長の表示可能領域に画像を配置する例を示しており、以下の説明では、適宜、図２０を参照するものとする。なお、図２１に示すように、表示可能領域の幅をＷ、高さをＨとし、表示可能領域内における画像の配置が可能な領域の幅をＷ’、高さをＨ’として参照する。また、各画像の幅をｗ１、ｗ２、高さをｈ１、ｈ２として参照する。
【００８７】
図２２は、第３実施形態の情報処理装置が実行する処理のフローチャートである。まず、ステップ４０１では、ユーザが出力する画像を選択する。ステップ４０１における画像の選択は、操作受付部１０２を介して行うことができ、図４〜６に示した画面から行うことができる。ステップ４０１において選択される画像は、１枚でもよいし、複数枚であってもよい。
【００８８】
続くステップ４０２では、画像情報取得部１１３が、ステップ４０１で選択された各画像の表示情報を取得する。また、ステップ４０３では、機器情報取得部１１１が、機器接続部１０３を介して接続される画像出力機器に対して問い合わせを行って、画像出力機器の機器情報（この場合、機器種別）を取得する。なお、ステップ４０２とステップ４０３は、順不同で実行してもよい。また、ステップ４０３の処理は、図８のステップ１０１の処理に相当する処理である。
【００８９】
次に、ステップ４０４では、表示可能領域取得部１１２が、ステップ４０３において取得した機器種別をキーとして、記憶領域１１０に格納される表示可能領域情報管理テーブル６００（図１９参照）を検索し、当該機器種別に紐付いた表示領域のサイズおよび表示方向を取得する。なお、ステップ４０４の処理は、図８のステップ１０２の処理に相当する処理である。また、ステップ４０４の処理に替えて、ステップ４０３の機器情報の取得の際に、機器種別や機種名の取得とともに表示領域サイズを取得してもよいし、表示領域サイズのみを取得しても良い。
【００９０】
続くステップ４０５では、取得した表示領域情報および表示方向に基づいて出力画像を生成する「出力画像生成処理」が実行される。なお、ステップ４０５の詳細については、後述する。
【００９１】
最後に、ステップ４０６で、出力画像送信部１０９が、生成された出力画像を接続先の画像出力装置に送信して、処理を終了する。なお、ステップ４０６の処理は、図８のステップ１０４の処理に相当する処理である。
【００９２】
ここで、先のステップ４０５で実行される「出力画像生成処理」の具体的な内容を図２３に基づいて説明する。図２３は、出力画像生成処理のフローチャートである。
【００９３】
出力画像生成処理が開始されると、まずステップ５０１で、画像配置定義部１１４は、ステップ４０４で取得された表示可能領域のサイズ（幅Ｗ、高さＨ）および表示方向を取得する。なお、表示方向は、表示可能領域のＷおよびＨの値に基づいて、縦方向であるか横方向であるかを判定してもよい。
【００９４】
次にステップ５０２では、画像配置定義部１１４は、表示可能領域のサイズおよび表示方向と、ステップ４０１にて選択された画像の枚数とに基づいて、選択可能なレイアウトを抽出する。ステップ５０２では、出力先の表示可能領域や、画像の枚数によって、選択可能なレイアウトが異なることから、複数のレイアウトパターンが抽出される。例えば、表示可能領域が横長で、２枚の画像が選択された場合には、図２０（ａ），（ｂ）に示すようなレイアウトが抽出されるし、表示可能領域が縦長で、４枚の画像が選択された場合には、図２０（ｅ），（ｆ）に示すようなレイアウトが抽出される。
【００９５】
続くステップ５０３では、画像配置定義部１１４は、抽出されたレイアウトのうち、１のレイアウトを選択し、当該レイアウトの画像配置可能領域のサイズ（幅Ｗ’、高さＨ’）を取得する。なお、以下では、抽出された複数のレイアウトのうち選択されたレイアウトを、便宜的に「ｊ番目のレイアウト」として参照する（ｊは整数）。
【００９６】
ステップ５０４では、ステップ４０１で選択された画像を取得する。なお、複数の画像が選択された場合には、このうちの１枚の画像を選択して取得し、各画像について、以下のステップ５０４から５０６の処理を実行する。なお、以下では、複数選択された画像のうち処理対象となっている画像を、便宜的に「ｉ枚目の画像」として参照する（ｉは整数）。
【００９７】
続くステップ５０５では、画像配置定義部１１４が、レイアウトを定義し、画像配置可能領域のサイズ（Ｗ’，Ｈ’）と、ｉ枚目の画像のサイズ（ｗｉ，ｈｉ）とを比較し、当該画像を画像配置可能領域のサイズに合わせて表示するように変倍した場合の画像のサイズを算出する。なお、ｉ枚目の画像のサイズ（ｗｉ，ｈｉ）に対する、変倍後の画像サイズを、幅ｗｉ’、高さｈｉ’として参照する。
【００９８】
ステップ５０５で変倍後の画像サイズを算出した後、ステップ５０６では、表示可能領域に対する、画像の大きさの比率Ａｉを算出する。Ａｉは、下記の式１によって算出することができる。
【００９９】
【数１】
2018061236.tif 000003
【０１００】
ステップ５０６でＡｉを算出した後、ステップ５０７に進み、他にＡｉを算出していない画像があるか否かによって処理を分岐する。すなわち、Ａｉを算出していない画像がある場合（Ｙｅｓ）には、ステップ５０４に分岐し、ｉ＋１枚目の画像を取得する。そして、ステップ５０４から５０６の処理を行い、選択された全ての画像に対してＡｉを算出するまで処理を繰り返す。全ての画像に対してＡｉを算出した場合（Ｎｏ）には、ステップ５０８に進む。
【０１０１】
ステップ５０８では、算出した各画像のＡｉの値に基づいて、選択されているｊ番目のレイアウトの表示可能領域に占める全画像の比率Ｌｊを算出する。Ｌｊは、下記の式２によって算出することができる。
【０１０２】
【数２】
2018061236.tif 000004
【０１０３】
続くステップ５０９では、他にＬｊを算出していないレイアウトがあるか否かによって処理を分岐する。Ｌｊを算出していないレイアウトがある場合（Ｙｅｓ）には、ステップ５０３に分岐し、ｊ＋１番目のレイアウトを選択して、ステップ５０３以降の処理を行い、全てのレイアウトに対してＬｊを算出するまで処理を繰り返す。全ての画像に対してＬｊを算出した場合（Ｎｏ）には、ステップ５１０に進む。
【０１０４】
ステップ５１０では、各レイアウトのＬｊの値が大きい順に表示候補として、各レイアウトをユーザに対して提供する。ステップ５１０では、画像配置定義部１１４が定義したレイアウトに基づいて、集約画像生成部１０７が生成した画像を表示する。
【０１０５】
式２に示すように、Ｌｊは、各画像のＡｉの値の総和であり、ｊ番目のレイアウトにおける、出力可能領域に対して画像が占める面積の割合を示している。したがって、Ｌｊの値が大きいレイアウトは、画像が大きく表示されることから、表示した際に見やすいレイアウトであると判定することができる。
【０１０６】
続くステップ５１１では、ユーザは、ステップ５１０で提供されたレイアウトから出力するレイアウトを選択する。図２４は、出力レイアウトの選択画面を示す図であり、レイアウトの選択は、図２４に示すような出力レイアウト選択画面から行う。
【０１０７】
出力レイアウト選択画面には、プレビュー画像が、Ｌｊの値の大きい順に表示され、ユーザはスクロールバーをスライドしたり、レイアウトをタップしたりすることで、出力するレイアウトを選択する。レイアウトを選択した後、出力ボタンをタップすることで、出力する画像を決定できる。
【０１０８】
図２４に示す例では、横方向の出力領域に対して、画像が左右に並んだレイアウトと、上下に並んだレイアウトが示されている。上述したように、Ｌｊの値が大きな順でプレビューを表示することで、画像がより大きく表示される、すなわち見やすいレイアウトが優先的に表示されるため、ユーザがレイアウトを選択する判断がしやすくできる。この場合には、画像が縦長であることから、左右に並んだレイアウトのほうがＬｊの値が大きくなり、画像がより大きく表示されるので、ユーザは見やすいレイアウトであると判断できる。
【０１０９】
なお、レイアウトの選択はユーザが行わずに、Ｌｊの値が最も大きいレイアウトを判定することで、情報処理装置１００が自動的に選択してもよい。この場合には、ステップ５１０，５１１の処理を省略することができる。
【０１１０】
説明を図２３に戻す。ステップ５１０で出力するレイアウトを選択した後は、ステップ５１２に進み、書誌情報付加部１０６が日付埋め込み処理を行う。日付埋め込み処理の詳細については、後述する。なお、ユーザによる設定によって、画像にタイムスタンプを埋め込まない場合には、ステップ５１２の処理は省略できる。
【０１１１】
続くステップ５１３では、出力画像生成部１０８が、集約画像生成部１０７が生成した画像のうち、ユーザがステップ５１１で選択した画像を出力画像として生成する。なお、ステップ５１２で日付埋め込み処理をした場合には、タイムスタンプが埋め込まれた画像を、出力画像として生成する。
【０１１２】
出力画像が生成されると、出力画像生成処理を終了し、図２２のステップ４０６の処理に進む。
【０１１３】
続いて、ステップ５１２に示した日付埋め込み処理について、図２５、２６を以て説明する。図２５は、日付埋め込み処理のフローチャートである。また、図２６は、タイムスタンプを埋め込んだ画像を示す図である。以下の説明では、図２５、２６を適宜参照して説明する。なお、画像に埋め込まれる書誌情報は、タイプスタンプに限らず、画像のファイル名や、画像の注釈などであってもよい。
【０１１４】
日付埋め込み処理が開始されると、まずステップ６０１において、書誌情報付加部１０６は、日付埋め込み処理の対象となる１の画像について、画像配置可能領域の余白の値ｍを取得する。余白ｍは、図２６（ａ）に示すように、画像配置可能領域に画像を配置した場合に生じる余白として定義される。
【０１１５】
続くステップ６０２では、当該余白の大きさが、日付などの書誌情報を埋め込むのに充分な大きさであるか否かを判定する。ステップ６０２の処理は、下記の式３によって判定することができる。なお、式３中のｈｃは、埋め込まれる書誌情報の高さを示している。
【０１１６】
【数３】
2018061236.tif 000005
【０１１７】
ステップ６０２では、式３に示すように、画像配置可能領域の高さＨ’と変倍後の画像の高さｈｉ’との差分を２で除した値が、ｈｃより大きいか否かによって、余白が充分であるかを判定する。なお、式３は、画像を画像配置可能領域の中央に割り付ける場合の例であって、例えば中央に割り付けない場合には、式３の左辺を２で除する必要はない。
【０１１８】
ステップ６０２で、タイムスタンプを埋め込むのに余白が充分であると判定した場合（Ｙｅｓ）には、ステップ６０５に進む。例えば、図２６（ａ）の右側の画像配置可能領域では、余白ｍ２がｈｃ以上であるため、画像を縮小する必要はなく、ステップ６０５に進む。一方、ステップ６０２で、余白が充分でないと判定した場合（Ｎｏ）には、ステップ６０３に進む。例えば、図２６（ａ）の左側の画像配置可能領域は、余白ｍ１がｈｃよりも小さいため、ステップ６０３に進む。
【０１１９】
ステップ６０３および６０４では、画像を縮小することで、書誌情報の埋め込みに必要な余白を確保する。まずステップ６０３において、画像の縮小率を算出する。縮小率は、下記の式４によって算出することができる。
【０１２０】
【数４】
2018061236.tif 000006
【０１２１】
縮小率は、現在の画像の高さを、書誌情報の埋め込みに必要な高さに縮小するための比率である。上記の式４中の（ｈｃ−ｍ）は、書誌情報の高さと余白との差分であり、この値の分だけ画像を縮小する必要があり、現在の画像の高さ（ｈｉ’）から、当該差分の値を引いた大きさが、書誌情報を埋め込むために必要な画像の高さとなる。したがって、式４に示すように、書誌情報を埋め込むために必要な画像の高さを、現在の画像の高さで除した値が縮小率となる。
【０１２２】
ステップ６０３において式４に示した縮小率を算出した後、ステップ６０４では、上記縮小率で以て画像を縮小する。これによって、ステップ６０２において、日付を埋め込むための余白が充分ではないと判定された画像であっても、図２６（ｂ）に示すようにタイムスタンプを埋め込むための余白を確保できる。
【０１２３】
続くステップ６０５では、ステップ６０２においてタイムスタンプの埋め込みが可能であると判定された画像、およびステップ６０４において縮小された画像を、選択されたレイアウトに基づいて配置する。ステップ６０５における、画像が配置された例は、図２６（ｂ）に示される。
【０１２４】
続くステップ６０６では、ステップ６０５で配置された画像について、画像配置可能領域の余白部分に、日付などの書誌情報を付加する。タイムスタンプが埋め込まれた画像の例は、図２６（ｃ）に示される。ｓ
【０１２５】
その後、ステップ６０７では、日付埋め込み処理対象となる画像が他にもあるか否かを判定し、処理を分岐する。他に画像がある場合（Ｙｅｓ）には、ステップ６０１に戻り、ステップ６０１から６０６の処理を全ての画像について行うまで処理を繰り返す。一方で、他に画像がない場合（Ｎｏ）には、日付埋め込み処理を終了する。
【０１２６】
ここまで、本発明の第３実施形態を説明してきた。第３実施形態によれば、画像が大きく表示される、見やすいレイアウトに配置された出力画像を得ることができる。
【０１２７】
なお、第３実施形態も第２実施形態と同様に、情報処理装置１００の記憶領域１１０に表示可能領域情報管理テーブル６００を含まなくてもよい。すなわち、各画像出力装置が表示可能領域情報を保持することができ、機器情報取得部１１１が、画像出力装置の種別や機種名などの機器情報と併せて、各装置から表示可能領域情報を取得してもよい。
【０１２８】
最後に、図２７に基づいて本実施形態のスマートデバイス１００を構成するコンピュータのハードウェア構成について説明する。
【０１２９】
図２７に示すように、本実施形態のスマートデバイス１００を構成するコンピュータは、装置全体の動作を制御するプロセッサ１０と、ブートプログラムやファームウェアプログラムなどを保存するＲＯＭ１２と、プログラムの実行空間を提供するＲＡＭ１４と、スマートデバイス１００を上述した各手段として機能させるためのプログラムやオペレーティングシステム（ＯＳ）等を保存するための補助記憶装置１６と、画像出力機器との間の通信接続を確立するための通信インターフェース１８とを備えている。
【０１３０】
なお、上述した実施形態の各機能は、Ｃ、Ｃ＋＋、Ｃ＃、Ｊａｖａ（登録商標）などで記述されたプログラムにより実現でき、本実施形態のプログラムは、ハードディスク装置、ＣＤ−ＲＯＭ、ＭＯ、ＤＶＤ、フレキシブルディスク、ＥＥＰＲＯＭ、ＥＰＲＯＭなどの記録媒体に格納して頒布することができ、また他の装置が可能な形式でネットワークを介して伝送することができる。
【０１３１】
以上、本発明について実施形態をもって説明してきたが、本発明は上述した実施形態に限定されるものではなく、当業者が推考しうる実施態様の範囲内において、本発明の作用・効果を奏する限り、本発明の範囲に含まれるものである。
【符号の説明】
【０１３２】
１,２,３…操作領域
１０…プロセッサ
１２…ＲＯＭ
１４…ＲＡＭ
１６…補助記憶装置
１８…通信インターフェース
２０…プロジェクター
３０…電子黒板
４０…複合機
５０…ネットワーク
１００…情報処理装置(スマートデバイス)
１０２…操作受付部
１０３…機器接続部
１０４…操作領域情報取得部
１０５…画像配置可能領域定義部
１０６…書誌情報付加部
１０７…集約画像生成部
１０８…出力画像生成部
１０９…出力画像送信部
１１０…記憶領域
１１１…機器情報取得部
１１２…表示可能領域取得部
１１３…画像情報取得部
１１４…画像配置定義部
２１，３１，４１…接続部
２２，３２，４２…画像出力部
５００…操作領域情報管理テーブル
５０１,５０２,５０３,５０４,５０５,５０６…フィールド
６００…表示可能領域情報管理テーブル
６０１,６０２,６０３,６０４…フィールド
１０００…画像出力システム
【先行技術文献】
【特許文献】
【０１３３】
【特許文献１】特許第４９７１４８４号公報
【図１】
2018061236.tif 000007
【図２】
2018061236.tif 000008
【図３】
2018061236.tif 000009
【図４】
2018061236.tif 000010
【図５】
2018061236.tif 000011
【図６】
2018061236.tif 000012
【図７】
2018061236.tif 000013
【図８】
2018061236.tif 000014
【図９】
2018061236.tif 000015
【図１０】
2018061236.tif 000016
【図１１】
2018061236.tif 000017
【図１２】
2018061236.tif 000018
【図１３】
2018061236.tif 000019
【図１４】
2018061236.tif 000020
【図１５】
2018061236.tif 000021
【図１６】
2018061236.tif 000022
【図１７】
2018061236.tif 000023
【図１８】
2018061236.tif 000024
【図１９】
2018061236.tif 000025
【図２０】
2018061236.tif 000026
【図２１】
2018061236.tif 000027
【図２２】
2018061236.tif 000028
【図２３】
2018061236.tif 000029
【図２４】
2018061236.tif 000030
【図２５】
2018061236.tif 000031
【図２６】
2018061236.tif 000032
【図２７】
2018061236.tif 000033